(57)【要約】【課題】手動操作を行わせることなく、連絡ゲートの開閉状態にかかわらず、各池の水位を制御して、オペレータの負担を大幅に軽減する。【解決手段】連絡ゲート２が閉状態にされているとき、制御切替装置１６によって、Ａ池側水位計４の出力、Ｂ池側水位計８の出力をＡ池側ポンプ台数制御装置６、Ｂ池側ポンプ台数制御装置１０に各々、供給し、これらＡ池側ポンプ台数制御装置６、Ｂ池側ポンプ台数制御装置１０によって、Ａ池３の水位、Ｂ池７の水位を個別に制御し、また連絡ゲート２が開状態にされているとき、制御切替装置１６、水位計選択装置１８によって、Ａ池側水位計４の出力、またはＢ池側水位計８の出力を全ポンプ台数制御装置１１に供給し、Ａ池３の水位、Ｂ池７の水位を総合的に制御する。【選択図】      図１
2004308240.tif 000002
【特許請求の範囲】
【請求項１】
開閉自在な連絡ゲートを持つ池の水位を制御する池水位制御システムにおいて、
前記連絡ゲートが閉状態にされているとき、当該連絡ゲートによって仕切られた各池の測定水位に基づき、各池に設けられたポンプを対象とした台数制御を実行して各池毎の水位を個別に制御する個別水位制御装置と、
前記連絡ゲートが開状態にされているとき、前記各池のうち、選択された池側の測定水位に基づき、全ポンプを対象とした台数制御を実行して池の水位を総合的に制御する総合水位制御装置と、
を備えたことを特徴とする池水位制御システム。
【請求項２】
請求項１に記載の池水位制御システムにおいて、
前記連絡ゲートの開閉状態を検出して前記個別水位制御装置または総合水位制御装置のいずれかを選択する制御切替装置を設けたことを特徴とする池水位制御システム。
【請求項３】
請求項１に記載の池水位制御システムにおいて、
前記総合水位制御装置は、前記各池の測定水位を正常に取り込めるとき、前記各池のうち、選択された池側の測定水位に基づき、全ポンプを対象とした台数制御を実行して池の水位を総合的に制御し、前記選択された池側の測定水位を正常に取り込めないとき、正常な池側の測定水位に基づき、前記各ポンプを制御して前記各池の水位を総合的に制御する、
ことを特徴とする池水位制御システム。
【発明の詳細な説明】
【０００１】
《省略》
【０００２】
【発明の属する技術分野】
本発明は、開閉可能な連絡ゲートによって仕切られた池の水位を制御する池水位制御システムに関する。
【０００３】
【従来の技術】
連絡ゲートで仕切られた池の水位を制御する場合、連絡ゲートが開状態にされているときの制御応答と、閉状態にされているときの制御応答とは異なってくる。このため、連絡ゲートを閉状態にして水位を制御する頻度よりも開状態にして水位を制御する頻度の方が高いとき、連絡ゲートを開状態にしているときの制御応答に合わせて池水位制御システムを設計する必要がある。一方、連絡ゲートを開状態にして水位を制御する頻度よりも閉状態にして水位を制御する頻度の方が高いとき、連絡ゲートを閉状態にしているときの制御応答に合わせて池水位制御システムを設計する必要がある。なお、池水位制御システムの従来例としては、特開平９−１２６１４０号公報がある。
【０００４】
【特許文献】
特開平９−１２６１４０号公報
【０００５】
【発明が解決しようとする課題】
ところで、このような従来の池水位制御システムでは、連絡ゲートを開状態にしているとき、または閉状態にしているときのいずれか一方の制御応答に合わせて制御プロセスを組んでいることから、連絡ゲートが逆の状態にされているときには、手動操作などでこれに対処しなければならない。
【０００６】
例えば、連絡ゲートを開状態にして使用することが通常の使用状態であれば、片方の池のメンテナンスを行うとき、あるいはプラント初期などのように処理水量が少ないときなどのように、連絡ゲートを閉状態にしなければならないとき、全てのポンプを連携して水位を制御することができなくなる。
【０００７】
このため、片方の池のメンテナンスを行うとき、あるいはプラント初期などのように処理水量が少ないとき、オペレータが手動操作により運転するポンプを選択して、池の水位を制御しなければならず、その分だけ、オペレータの負担が大きくなってしまうという問題があった。
【０００８】
本発明は上記の事情に鑑み、手動操作を行わせることなく、連絡ゲートが開状態にされていても、閉状態にされていても、池の水位を最適に制御でき、オペレータの負担を大幅に軽減することのできる池水位制御システムを提供することを目的としている。
【０００９】
また、連絡ゲートが開状態にされているとき、いずれかの水位計などが故障していても、正常な測定水位に基づき、池の水位を制御でき、断線事故、短絡事故などに起因する誤制御を未然に防止することができる池水位制御システムを提供することを目的としている。
【００１０】
【課題を解決するための手段】
上記の目的を達成するために本発明は、請求項１では、開閉自在な連絡ゲートを持つ池の水位を制御する池水位制御システムにおいて、前記連絡ゲートが閉状態にされているとき、当該連絡ゲートによって仕切られた各池の測定水位に基づき、各池に設けられたポンプを対象とした台数制御を実行して各池毎の水位を個別に制御する個別水位制御装置と、前記連絡ゲートが開状態にされているとき、前記各池のうち、選択された池側の測定水位に基づき、全ポンプを対象とした台数制御を実行して池の水位を総合的に制御する総合水位制御装置とを備えたことを特徴としている。
【００１１】
請求項２では、請求項１に記載の池水位制御システムにおいて、前記連絡ゲートの開閉状態を検出して前記個別水位制御装置または総合水位制御装置のいずれかを選択する制御切替装置を設けたことを特徴としている。
【００１２】
請求項１、２の構成によれば、手動操作を行わせることなく、連絡ゲートが開状態にされていても閉状態にされていても、池の水位を最適に制御でき、オペレータの負担を大幅に軽減できる。
【００１３】
請求項３では、請求項１に記載の池水位制御システムにおいて、前記総合水位制御装置は、前記各池の測定水位を正常に取り込めるとき、前記各池のうち、選択された池側の測定水位に基づき、全ポンプを対象とした台数制御を実行して池の水位を総合的に制御し、前記選択された池側の測定水位を正常に取り込めないとき、正常な池側の測定水位に基づき、前記各ポンプを制御して前記各池の水位を総合的に制御することを特徴としている。
【００１４】
請求項３の構成によれば、連絡ゲートが開状態にされているとき、各水位計などのいずれかが故障していても、正常な水位計側の測定結果に基づき、池の水位を制御して、断線事故、短絡事故などに起因する誤制御を未然に防止する。
【００１５】
【発明の実施の形態】
図１は本発明による池水位制御システムの一実施形態を示すブロック図である。
【００１６】
この図に示す池水位制御システム１は、連絡ゲート２によって開閉自在に仕切られた一方の池（Ａ池３）に配置され、Ａ池３の水位を測定するＡ池側水位計４と、Ａ池３に配置され、駆動電圧が供給されているとき、Ａ池３の水を汲み出す複数のＡ池側ポンプ５ａ〜５ｎと、Ａ池側水位計４の測定動作で得られた水位に応じて各Ａ池側ポンプ５ａ〜５ｎを台数制御するＡ池側ポンプ台数制御装置６とを備えている。
【００１７】
また、この池水位制御システム１は、連絡ゲート２によって開閉自在に仕切られた他方の池（Ｂ池７）に配置され、Ｂ池７の水位を測定するＢ池側水位計８と、Ｂ池７に配置され、駆動電圧が供給されているとき、Ｂ池７の水を汲み出す複数のＢ池側ポンプ９ａ〜９ｍと、Ｂ池側水位計８の測定動作で得られた水位に応じて各Ｂ池側ポンプ９ａ〜９ｍを台数制御するＢ池側ポンプ台数制御装置１０と、Ａ池側水位計４の測定動作で得られた水位、またはＢ池側水位計８の測定動作で得られた水位に応じて各Ａ池側ポンプ５ａ〜５ｎ、各Ｂ池側ポンプ９ａ〜９ｍを台数制御する全ポンプ台数制御装置１１とを備えている。
【００１８】
さらに、この池水位制御システム１は、制御切替装置１６と、水位計選択装置１８と、Ａ池３に流入される流入水量を調整する弁１９と、Ｂ池７に流入される流入水量を調整する弁２０とを備えている。
【００１９】
制御切替装置１６は、連絡ゲート２が閉状態にされて、複数のスイッチ１２〜１５が閉側にされているとき、Ａ池側水位計４の出力を取り込んで、Ａ池側ポンプ台数制御装置６に供給しながら、このＡ池側ポンプ台数制御装置６から出力される各駆動電圧を各Ａ池側ポンプ５ａ〜５ｎに導いて、Ａ池３の水を汲み出すとともに、Ｂ池側水位計８の出力を取り込んで、Ｂ池側ポンプ台数制御装置１０に供給しながら、このＢ池側ポンプ台数制御装置１０から出力される各駆動電圧を各Ｂ池側ポンプ９ａ〜９ｍに導いて、Ｂ池７の水を汲み出し、また連絡ゲート２が開状態にされて、各スイッチ１２〜１５が開側にされているとき、Ａ池側水位計４の出力、Ｂ池側水位計８を取り込んで、全ポンプ台数制御装置１１側に供給するとともに、全ポンプ台数制御装置１１から出力される各駆動電圧を各Ａ池側ポンプ５ａ〜５ｎ、各Ｂ池側ポンプ９ａ〜９ｍに導いて、Ａ池３、Ｂ池７の水を汲み出す。
【００２０】
水位計選択装置１８は、オペレータによって操作されるスイッチ１７を持ち、制御切替装置１６の各スイッチ１２〜１５が開側にされいるとき、断線事故、短絡事故などが発生しているかどうかをチェックし、断線事故、短絡事故などが発生していなければ、オペレータによる選択内容に応じて、制御切替装置１６から出力されるＡ池側水位計４の出力、またはＢ池側水位計８の出力を取り込んで、全ポンプ台数制御装置１１に供給し、また断線事故、短絡事故などが発生していれば、制御切替装置１６から出力されるＡ池側水位計４の出力、またはＢ池側水位計８の出力のうち、正常な方を選択して、全ポンプ台数制御装置１１に供給する。
【００２１】
次にこの実施形態の作用を説明する。連絡ゲート２が閉じられ、各スイッチ１２〜１５が閉側にされているとき、制御切替装置１６によってＡ池側水位計４の出力、Ｂ池側水位計８の出力をＡ池側ポンプ台数制御装置６、Ｂ池側ポンプ台数制御装置１０に各々供給するとともに、これらＡ池側ポンプ台数制御装置６、Ｂ池側ポンプ台数制御装置１０から出力される各駆動電圧を各Ａ池側ポンプ５ａ〜５ｎ、各Ｂ池側ポンプ９ａ〜９ｍに各々供給して、Ａ池３の水位、Ｂ池７の水位を個別に制御する。
【００２２】
また、連絡ゲート２が開かれ、各スイッチ１２〜１５が開側にされているとき、制御切替装置１６によって、Ａ池側水位計４の出力、Ｂ池側水位計８の出力を水位計選択装置１８に供給して、Ａ池側水位計４の出力またはＢ池側水位計８の出力を選択し、全ポンプ台数制御装置１１に供給するとともに、全ポンプ台数制御装置１１から出力される各駆動電圧を各Ａ池側ポンプ５ａ〜５ｎ、各Ｂ池側ポンプ９ａ〜９ｍに各々、供給して、Ａ池３の水位、Ｂ池７の水位を総合的に制御する。
【００２３】
このように、この実施形態では、連絡ゲート２が閉状態にされているとき、制御切替装置１６によって、Ａ池側水位計４の出力、Ｂ池側水位計８の出力をＡ池側ポンプ台数制御装置６、Ｂ池側ポンプ台数制御装置１０に各々供給し、これらＡ池側ポンプ台数制御装置６、Ｂ池側ポンプ台数制御装置１０によって、Ａ池３の水位、Ｂ池７の水位を個別に制御し、また連絡ゲート２が開状態にされているとき、制御切替装置１６、水位計選択装置１８によって、Ａ池側水位計４の出力、またはＢ池側水位計８の出力を全ポンプ台数制御装置１１に供給し、Ａ池３の水位、Ｂ池７の水位を総合的に制御するようにしているので、手動操作を行わせることなく、連絡ゲート２が開状態にされていても、閉状態にされていても、Ａ池３、Ｂ池７の水位を制御して、オペレータの負担を大幅に軽減することができる。
【００２４】
また、この実施形態では、断線事故、短絡事故などが発生して、水位計選択装置１８にＡ池側水位計４の出力、またはＢ池側水位計８の出力を導くことができなくなったとき、水位計選択装置１８によって、Ａ池側水位計４の出力、またはＢ池側水位計８の出力のうち、正常に導かれた方を選択して、Ａ池３、Ｂ池７の水位を制御するようにしているので、連絡ゲート２が開状態にされているとき、Ａ池側水位計４、Ｂ池側水位計８のいずれかが故障していても、正常な方の測定結果に基づき、Ａ池３、Ｂ池７の水位を制御して、断線事故、短絡事故などに起因する誤制御を未然に防止することができる。
【００２５】
【発明の効果】
以上説明したように本発明によれば、手動操作を行わせることなく、連絡ゲートが開状態にされていても、閉状態にされていても、池の水位を制御して、オペレータの負担を大幅に軽減することができる。
【００２６】
また、連絡ゲートが開状態にされているとき、各水位計などのいずれかが故障していても、正常な水位計側の測定結果に基づき、池の水位を制御して、断線事故、短絡事故などに起因する誤制御を未然に防止することができる。
【図面の簡単な説明】
【図１】本発明による池水位制御システムの一実施形態を示すブロック図である。
【符号の説明】
１：池水位制御システム
２：連絡ゲート
３：Ａ池
４：Ａ池側水位計
５ａ〜５ｎ：Ａ池側ポンプ
６：Ａ池側ポンプ台数制御装置（個別水位制御装置）
７：Ｂ池
８：Ｂ池側水位計
９ａ〜９ｍ：Ｂ池側ポンプ
１０：Ｂ池側ポンプ台数制御装置（個別水位制御装置）
１１：全ポンプ台数制御装置（総合水位制御装置）
１２〜１５：スイッチ
１６：制御切替装置
１７：スイッチ
１８：水位計選択装置
１９，２０：弁
【図１】
2004308240.tif 000003